(57)【要約】【課題】ホッパー内で二種類の原料土の排出配合割合を容易に調整できる作業性の良い自走式土質改良機の二種混合対応ホッパー装置を提供する。【解決手段】ホッパー２２と、ホッパー２２内下部に所定の隙間を残し、ホッパー２２内を上流側ホッパー部２３と下流側ホッパー部２４とに区画する仕切りゲート２５と、仕切りゲート２５に配設され、前記隙間の開口２６の面積を調整する調整ゲート２７と、ホッパー２２の供給口２２ｂの直下に配設され、上流側ホッパー部２３と下流側ホッパー部２４の供給口２２ｂから供給される原料土をホッパー２２の排出口２２ｃ側に搬送するフィーダー２８と、下流側ホッパー部２４内に配設され、ホッパー２２内の原料土を所定流量で掻き出す掻き出しローター２９とを備え、調整ゲート２７によって、原料土との配合割合を調整するように構成された自走式土質改良機の二種混合対応ホッパー装置２１を提供する。【選択図】図３
2012092507.tif 000002
【特許請求の範囲】
【請求項１】
上部に投入口、下部に供給口、下流側下側部に排出口を有するホッパーと、
前記ホッパー内下部に所定の隙間を残し、前記ホッパー内を上流側ホッパー部と下流側ホッパー部とに区画する仕切りゲートと、
前記仕切りゲートに配設され、前記隙間の開口を調整する調整ゲートと、
前記ホッパーの供給口の直下に配設され、前記上流側ホッパー部と下流側ホッパー部から供給される原料土を前記ホッパーの排出口側に搬送するフィーダーと、
前記下流側ホッパー部内に配設され、前記ホッパー内の原料土を所定流量で掻き出す掻き出しローターとを備え、
前記調整ゲートによって、上流側ホッパー部の原料土と、下流側ホッパー部の原料土との配合割合を調整するように構成された自走式土質改良機の二種混合対応ホッパー装置に於いて、
前記調整ゲートは、前記隙間に出入して開口を調整する調整ゲート板と、
前記調整ゲート板の出入を調整する出入調整手段とを備えていることを特徴とする自走式土質改良機の二種混合対応ホッパー装置。
【請求項２】
前記調整ゲートは、
前記仕切りゲートに配設され、出入する前記調整ゲート板の摺動を案内するゲートガイドと、
前記仕切りゲートに配設され、出入する前記調整ゲート板を保護するプロテクターとを備えていることを特徴とする請求項１記載の自走式土質改良機の二種混合対応ホッパー装置。
【請求項３】
前記出入調整手段は、ネジによって前記調整ゲート板を出入変位させる調整ネジ部であることを特徴とする請求項１又は２記載の自走式土質改良機の二種混合対応ホッパー装置。
【請求項４】
前記出入調整手段は、油圧によって前記調整ゲート板を出入変位させる油圧シリンダであることを特徴とする請求項１乃至３のうちいずれか一に記載の自走式土質改良機の二種混合対応ホッパー装置。
【発明の詳細な説明】
【技術分野】
【０００１】
本発明は、ホッパー内で二種類の原料土の排出配合割合を容易に調整できるように構成した自走式土質改良機の二種混合対応ホッパー装置に関する。
【背景技術】
【０００２】
図５に於いて、１は従来の自走式土質改良機の一例を示しており、自走式土質改良機１は、ショベルカー２等により、ホッパー３に原料土を投入されると、改質材等と混合して改質した改良土をダンプカー４等に排出する。
本願出願人が先に出願した特許文献１にも、同様な自走式土質改良機や、自走式土質改良機を用いた改良土生成方法が記載されている。
このような、自走式土質改良機のホッパー部分の構造は原料土一種のみの混合用に作られており、多くは、セメント等と混合して利用できるだけのものが多い。
【０００３】
一方、図６及び図７に示すような二種の原料土をホッパー内に収納し、二種の原料土を所定配合割合で排出できるホッパー装置１１も知られている。
このようなホッパー装置１１は、例えば、建設発生土の中でも、単独では使用できない粘性土と砂質土（二種類の混合物）を割合調整し粒度調整を行うことにより、リサイクル土として再利用できる品質を有する土に改質する装置として利用されるものである。
このホッパー装置１１は、ホッパー１２内に二種の原料土を分割収納するため仕切りゲート１３が配設され、仕切りゲート１３に、二種の原料土を所定配合割合で排出するための調整ゲート１４がボルト１５によって固定されて取り付けられている。
尚、図６及び図７に於いて、１６はホッパー１２内の原料土を所定流量で掻き出す掻き出しローターである。
【０００４】
此種技術の先行文献としては、例えば、特許文献２があり、特許文献２は、自走式土質改良機のホッパー内に仕切り壁が配設され、仕切り壁によって区画されたホッパー内に土砂と添加材とを分けて収納するように構成され、区画されたホッパー内には、夫々の供給量を調整する供給量調整機構が備えられた自走式土質改良機が記載されている。
【先行技術文献】
【特許文献】
【０００５】
【特許文献１】特開２００７−２７５８５０号公報
【特許文献２】特開２００２−１３１５６号公報
【発明の概要】
【発明が解決しようとする課題】
【０００６】
図６及び図７に示したホッパー装置は、二種の原料土を所定配合割合で排出できるが、調整ゲートがボルト固定式であり、二種の原料土を一定の配合割合で排出し、配合割合を変更する場合は、ボルトの固定位置を変更しなければならない。
このようなボルト固定式では、調整ゲートの固定位置を変更する作業に手間がかかり作業性が悪いという問題がある。
【０００７】
一方、特許文献２は、ホッパー内に土砂と添加材とを分けて収納するものであるが、供給量調整機構のゲート板を位置調整した後、ナットで締めるものであり、図５及び図６に示したホッパー装置と同様に作業性が悪いという問題がある。
【０００８】
以上の現状に鑑み、本発明は、ホッパー内で二種類の原料土の排出配合割合を容易に調整できる、作業性の良い自走式土質改良機の二種混合対応ホッパー装置を提供することを目的とする。
【課題を解決するための手段】
【０００９】
上記の課題を解決すべく、本発明は以下の構成を提供する。
請求項１に係る発明は、上部に投入口、下部に供給口、下流側下側部に排出口を有するホッパーと、
前記ホッパー内下部に所定の隙間を残し、前記ホッパー内を上流側ホッパー部と下流側ホッパー部とに区画する仕切りゲートと、
前記仕切りゲートに配設され、前記隙間の開口を調整する調整ゲートと、
前記ホッパーの供給口の直下に配設され、前記上流側ホッパー部と下流側ホッパー部から供給される原料土を前記ホッパーの排出口側に搬送するフィーダーと、
前記下流側ホッパー部内に配設され、前記ホッパー内の原料土を所定流量で掻き出す掻き出しローターとを備え、
前記調整ゲートによって、上流側ホッパー部の原料土と、下流側ホッパー部の原料土との配合割合を調整するように構成された自走式土質改良機の二種混合対応ホッパー装置に於いて、
前記調整ゲートは、前記隙間に出入して開口を調整する調整ゲート板と、
前記調整ゲート板の出入を調整する出入調整手段とを備えていることを特徴とする自走式土質改良機の二種混合対応ホッパー装置を提供するものである。
【００１０】
請求項２に係る発明は、前記調整ゲートは、
前記仕切りゲートに配設され、出入する前記調整ゲート板の摺動を案内するゲートガイドと、
前記仕切りゲートに配設され、出入する前記調整ゲート板を保護するプロテクターとを備えていることを特徴とする請求項１記載の自走式土質改良機の二種混合対応ホッパー装置を提供するものである。
【００１１】
請求項３に係る発明は、前記出入調整手段は、ネジによって前記調整ゲート板を出入変位させる調整ネジ部であることを特徴とする請求項１又は２記載の自走式土質改良機の二種混合対応ホッパー装置を提供するものである。
【００１２】
請求項４に係る発明は、前記出入調整手段は、油圧によって前記調整ゲート板を出入変位させる油圧シリンダであることを特徴とする請求項１乃至３のうちいずれか一に記載の自走式土質改良機の二種混合対応ホッパー装置を提供するものである。
【発明の効果】
【００１３】
本発明によれば、ホッパー内で二種類の原料土の排出配合割合を容易に調整できる、作業性の良い自走式土質改良機の二種混合対応ホッパー装置を提供することができる。
【図面の簡単な説明】
【００１４】
【図１】本発明の自走式土質改良機の二種混合対応ホッパー装置の平面図である。
【図２】（ａ）本発明の仕切りゲートと調整ゲートの正面図である。（ｂ）本発明の仕切りゲートと調整ゲートの側面図である。
【図３】本発明の自走式土質改良機の二種混合対応ホッパー装置の使用方法を示す正面断面図である。
【図４】（ａ）本発明の仕切りゲートと変形例の調整ゲートの正面図である。（ｂ）本発明の仕切りゲートと変形例の調整ゲートの側面図である。
【図５】従来例の自走式土質改良機の説明図である。
【図６】従来例の自走式土質改良機の二種混合対応ホッパー装置の使用方法を示す正面断面図である。
【図７】従来例の自走式土質改良機の二種混合対応ホッパー装置の平面図である。
【発明を実施するための形態】
【００１５】
以下、実施例を示した図面を参照しつつ本発明の実施の形態を説明する。
図１乃至図３に於いて、２１は、本発明の自走式土質改良機の二種混合対応ホッパー装置を示し、二種混合対応ホッパー装置２１は、上部に投入口２２ａ、下部に供給口２２ｂ、下流側下側部に排出口２２ｃを有するホッパー２２と、ホッパー２２内下部に所定の隙間を残し、ホッパー２２内を上流側ホッパー部２３と下流側ホッパー部２４とに区画する仕切りゲート２５と、仕切りゲート２５に配設され、前記隙間の開口２６の面積を調整する調整ゲート２７と、ホッパー２２の供給口２２ｂの直下に配設され、上流側ホッパー部２３と下流側ホッパー部２４の供給口２２ｂから供給される原料土をホッパー２２の排出口２２ｃ側に搬送するベルトコンベア等から成るフィーダー２８と、下流側ホッパー部２４内に配設され、ホッパー２２内の原料土を所定流量で掻き出す掻き出しローター２９とを備え、調整ゲート２７によって、上流側ホッパー部２３の原料土と、下流側ホッパー部２４の原料土との配合割合を調整するように構成されている。
【００１６】
そして、前記調整ゲート２７は、前記隙間に出入して開口２６の面積を調整する調整ゲート板３０と、調整ゲート板３０の出入変位を雄ネジと雌ネジで構成するネジによって調整する出入調整手段である調整ネジ部３１と、仕切りゲート２５に配設され、出入する調整ゲート板３０の摺動を案内するゲートガイド３２と、仕切りゲート２５に配設され、出入する調整ゲート板３０の前記隙間への出入部分を除く殆どの部分を覆って保護するプロテクター３３とを備えている。
【００１７】
次に、本発明の自走式土質改良機の二種混合対応ホッパー装置２１の使用方法について図３を用いて説明する。
調整ネジ部３１の雄ネジを回転させ調整ゲート板３０の出入を調整してホッパー２２内下部隙間の開口２６の面積を調整した後、上流側ホッパー部２３に上流側原料土３４をショベルカー（図５に於いて２参照）等により投入し、下流側ホッパー部２４に下流側原料土３５を投入する。
上流側原料土３４及び下流側原料土３５が所定量投入された後、フィーダー２８及び掻き出しローター２９を駆動すると、フィーダー２８及び掻き出しローター２９によって上流側原料土３４及び下流側原料土３５がホッパー２２の排出側へ搬送される。
この時、上流側原料土３４はフィーダー２８による送り出しによって、調整ゲート２７の調整ゲート板３０により調整された開口２６を所定流量で通過して下流側ホッパー部２４内に搬送され、更に下流側ホッパー部２４内の下部を下流側に搬送される。
【００１８】
上流側原料土３４が下流側ホッパー部２４内の下部を下流側に搬送されると、搬送される上流側原料土３４の上に下流側ホッパー部２４内の下流側原料土３５が積層されて下流側に搬送され、更に、掻き出しローター２９の駆動により、上流側原料土３４に積層された下流側原料土３５が所定流量で下流側に掻き出されることにより、ホッパー２２内に収納された二種類の原料土、即ち、上流側原料土３４及び下流側原料土３５は所定割合に配合され、且つ、所定の総流量で排出口２２ｃからホッパー２２外に排出される。
【００１９】
本発明の自走式土質改良機の二種混合対応ホッパー装置２１は、ホッパー２２内に収納された二種類の原料土を所定流量で、且つ、所定割合に配合してホッパー２２外に排出することができると共に、配合割合を決定する調整ゲート２７の調整ゲート板３０による開口の調整を調整ネジ部３１によって行うので、調整ネジ部３１のネジを動かすことにより、調整ゲート板３０による開口の面積の調整を容易に、且つ、迅速に行なうことができる。
従って、本発明の自走式土質改良機の二種混合対応ホッパー装置２１は、次のような効果が期待できる。
（１）二種類の原料土の配合割合の調節を容易に、且つ、迅速に行なうことができ、その作業性も良い。
（２）二種類の原料土の配合割合の調整性能が高く、効率的な配合が行われるため工程短縮が可能となる。
（３）原料土（粘性土＋砂質土）の混合割合ムラが少ない微調整ができ、高品質な改質土を得ることができる。
（４）土砂ホッパー内で割合調整するため、小スペース化を図ることができる。
（５）原料土（粘性土＋砂質土）の計量誤差を無くすために、キャリブレーションを適正に行うことができ、それによって品質面の低下が少ない高い混合品質を確保できる。
（６）二種混合対応ホッパー装置の作動中にも二種類の原料土の配合割合の調節を行うことが可能である。
【００２０】
図４に於いて、４１は、本発明の変形例の調整ゲートを示し、調整ゲート４１は、前記自走式土質改良機の二種混合対応ホッパー装置（図１に於いて２１）に於ける前記調整ゲート（図２に於いて２７）に代えて配設されるものであり、調整ゲート４１は、前記調整ゲート（図２に於いて２７）の出入調整手段である調整ネジ部（図２に於いて３１）に代えて油圧シリンダ４２を配設したものである。
油圧シリンダ４２は、ピストン部４２ａのロッド先端部を調整ゲート板３０に取り付けられ、シリンダ部４２ｂの基端部を仕切りゲート２５に取り付けられて配設される。
そして、調整ゲート４１は、油圧シリンダ４２を作動させて調整ゲート板３０の出入を調整してホッパー２２内下部隙間の開口２６の面積を調整する。
本発明の変形例の調整ゲート４１は、配合割合を決定する調整ゲート４１の調整ゲート板３０による開口２６の調整を油圧シリンダ４２によって行うので、油圧シリンダ４２を作動させることにより、調整ゲート板３０による開口２６の面積の調整を容易に、且つ、迅速に行なうことができる。
従って、二種類の原料土の配合割合の調節を容易に、且つ、迅速に行なうことができる。
その他、調整ゲート４１は、前記調整ゲート２７と同様な効果が期待できると共に、前記調整ゲート２７の効果に加えて、遠隔操作が可能であり、それによって安全性も確保できる。
【符号の説明】
【００２１】
２１  二種混合対応ホッパー装置
２２  ホッパー
２３  上流側ホッパー部
２４  下流側ホッパー部
２５  仕切りゲート
２６  開口
２７  調整ゲート
２８  フィーダー
２９  掻き出しローター
３０  調整ゲート板
３１  調整ネジ部
３２  ゲートガイド
３３  プロテクター
４１  調整ゲート
４２  油圧シリンダ
【図１】
2012092507.tif 000003
【図２】
2012092507.tif 000004
【図３】
2012092507.tif 000005
【図４】
2012092507.tif 000006
【図５】
2012092507.tif 000007
【図６】
2012092507.tif 000008
【図７】
2012092507.tif 000009